(57)【特許請求の範囲】
【請求項１】
互いに一方が開口しこれら開口を対向させて結合することにより筺体本体を形成する第１および第２の筺体と、これら第１および第２の筺体内に設けられたプリント基板およびスピーカとを備えたスピーカの取付構造において、前記プリント基板にホルダーを取り付け、このホルダーを介して前記スピーカを前記プリント基板に搭載し、搭載したスピーカに対向して前記第１の筺体に多数のスピーカ孔を設け、
前記ホルダーを前記スピーカの径よりもわずかに小さい径の略円筒状で弾性変形可能な部材によって形成し、周部に軸線方向に延在する溝を設け、底部に前記プリント基板に設けた孔に嵌合する先端部が小径に形成された段付きのスタッドを複数本突設するとともに、前記第１の筺体の内面に前記ホルダーの開口を覆うように互いの開口端が対接する環状体を一体に突設したことを特徴とするスピーカの取付構造。
【請求項２】
前記ホルダーの周部に切欠きを設け、この切欠きに前記スピーカのワイヤーを通し前記プリント基板に接続することを特徴とする請求項１記載のスピーカの取付構造。
【発明の詳細な説明】
【技術分野】
【０００１】
本発明は、電話機等において受話用のスピーカや着信音用のスピーカの取付構造に関するものである。
【背景技術】
【０００２】
従来のスピーカの取付構造は、受話用のスピーカがフロントケースの内面にスピーカ押さえ金具によって固定され、スピーカとワイヤーを介して電気的に接続されるプリント基板がシャーシを介してフロントケースに固定されたものがある（例えば、特許文献１参照）。
【特許文献１】特開平９−２７０７２７号公報（段落「０００６」、図３および図４）
【発明の開示】
【発明が解決しようとする課題】
【０００３】
上述した従来のスピーカの取付構造においては、スピーカとプリント基板とが、スピーカ押さえ金具とシャーシとによって個別にフロントケースに取り付けられ、これらスピーカとプリント基板とがワイヤーによって電気的に接続された構造になっている。このため、保守点検時にプリント基板を取り外す際に、誤ってワイヤーを断線させてしまうという問題があった。
【０００４】
本発明は上記した従来の問題に鑑みなされたものであり、その目的とするところは、スピーカとプリント基板とを電気的に接続するワイヤーの断線を防止したスピーカの取付構造を提供するところにある。
【課題を解決するための手段】
【０００５】
この目的を達成するために、請求項１に係る発明は、互いに一方が開口しこれら開口を対向させて結合することにより筺体本体を形成する第１および第２の筺体と、これら第１および第２の筺体内に設けられたプリント基板およびスピーカとを備えたスピーカの取付構造において、前記プリント基板にホルダーを取り付け、このホルダーを介して前記スピーカを前記プリント基板に搭載し、搭載したスピーカに対向して前記第１の筺体に多数のスピーカ孔を設け、前記ホルダーを前記スピーカの径よりもわずかに小さい径の略円筒状で弾性変形可能な部材によって形成し、周部に軸線方向に延在する溝を設け、底部に前記プリント基板に設けた孔に嵌合する先端部が小径に形成された段付きのスタッドを複数本突設するとともに、前記第１の筺体の内面に前記ホルダーの開口を覆うように互いの開口端が対接する環状体を一体に突設したものである。
【０００６】
請求項２に係る発明は、請求項１に係る発明において、前記ホルダーの周部に切欠きを設け、この切欠きに前記スピーカのワイヤーを通し前記プリント基板に接続するものである。
【発明の効果】
【０００９】
請求項１に係る発明によれば、スピーカとプリント基板とが一体化されているため、保守点検等でプリント基板を筺体から取り外す際にワイヤーを断線させてしまうようなことがない。また、スピーカをホルダーに取り付ける作業およびホルダーをプリント基板に取り付ける作業にねじを不要としたため作業性が向上する。また、スタッドの高さを選択することによりスピーカとスピーカ孔との間を最適な間隔に形成することができる。また、スピーカから放射される音波が筺体本体内に漏洩することなくスピーカ孔から放出されるため音量が低下するようなことがない。
【発明を実施するための最良の形態】
【００１３】
以下、本発明の実施の形態を図に基づいて説明する。図１は本発明に係るスピーカの取付構造を実施した電話機の分解斜視図、図２は同じく電話機の上半分を示す平面図、図３は図２におけるIII-III 線断面図、図４は同じく要部の斜視図でスピーカをプリント基板に取り付ける以前の状態を示し、図５は同じく要部の斜視図でスピーカをプリント基板に取り付けた状態を示す。
【００１４】
図１に全体を符号１で示す電話機は、第１の筺体としてのリアーケース２を備えており、このリアーケース２は、底部４とこの底部４を囲むようにこの底部４の周縁から一体に立設された囲い壁３とによって、図中下方側に開口２ａが設けられた略箱状に形成されている。底部４には多数のスピーカ孔４ａが設けられているとともに、底部４の内面には、図３に示すようにこのスピーカ孔４ａを囲むように後述するホルダー１６の開口を覆うリング状に形成した環状体４ｂが突設されている。多数のスピーカ孔４ａは、図２に示すように、リアーケース２の幅方向における中央部（図中Ｃ−Ｃ線）に位置付けられており、これら多数のスピーカ孔４ａが占める領域（図中一点鎖線で示した）Ａは、円状に形成されている。また、これら多数のスピーカ孔４ａのうち、後述するスピーカ１５に対応していない領域Ｂ（図中便宜上ハッチングを付した部分）に位置するスピーカ孔４ａは非貫通孔に形成されている。換言すれば、多数のスピーカ孔４ａのうち、スピーカ１５に対応した領域に位置するスピーカ孔４ａのみが貫通孔に形成されている。
【００１５】
図１において、底部４には蓄電池を収納する収納凹部５が設けられている。囲い壁３は、上壁３Ａ、下壁３Ｂおよび両側壁３Ｃ，３Ｄによって一連に形成されており、下壁３Ｂの両端部には、充電端子７，７を係入する図中下方側が開口した一対の溝６，６が設けられている。５ａ，５ａは収納凹部５の底部に設けた凹部（一方の凹部５ａは図示せず）であって、底部に挿通孔（図示せず）が設けられており、後述するプリント基板１０とキーシート２０とを第２の筺体としてのフロントケース２５に取り付けるためのねじ８，８が挿通される。９は上壁３Ａに設けられたアンテナである。
【００１６】
１０は電子部品が搭載されたプリント基板であって、表裏面にパターンが印刷配線されており、裏面にＬＣＤ表示器１１が取り付けられている。このプリント基板１０には、後述するホルダー１６を取り付けるための３個の孔１２、後述するキーパネル３７のスタッド３８，３８が嵌合する一対の嵌合孔１３，１３および後述するフロントケース２５のスタッド３２，３２が嵌合する一対の嵌合孔１４，１４が設けられている。
【００１７】
１５は着信音を鳴動する略円板状に形成されたスピーカであって、図４に示すように外周縁の一部からワイヤー１５ａが引き出されており、引き出されたワイヤー１５ａの先端にコネクタ１５ｂが結線されている。１６はスピーカ１５を保持するホルダーであって、底部１６ａと周部１６ｂとからなりプラスチックによって略円筒状に形成されており、周部１６ｂの一部には矩形状の切欠き１６ｃが設けられているとともに、軸線方向に延在し上方が開口した４個の溝１６ｄが設けられている。周部１６ｂの内径は、スピーカ１５の外径よりもわずかに小さく形成されている。底部１６ａには、３本のスタッド１７が一体に突設されており、これらスタッド１７の先端部には、上記したプリント基板１０の３個の孔１２に嵌合される小径部１７ａが設けられている。
【００１８】
図１において、２０は全体が可撓性を有するシートによって略長方形に形成されたキーシートであって、マトリックス状に配置された図示を省略したダイヤルボタンや多数の機能ボタンが一体に設けられている。これらダイヤルボタンや機能ボタンを押圧操作することにより、その部位に設けられた支持部が弾性変形し、支持部に設けられた接点がプリント基板１０に配線されたスイッチをオンするように構成されている。２４，２４はねじ８，８を挿通させるための挿通孔である。
【００１９】
２５はフロントケースであって、底部２６とこの底部２６を囲むようにこの底部の周縁から一体に立設された囲い壁２７とによって、図中上方側に開口２８が設けられた略箱状に形成されている。底部２６には、ＬＣＤ表示器１１を表示するための窓２９、ダイヤルボタンを摺動自在に支持するためにマトリックス状に配置されたダイヤルボタン用窓３０および機能ボタンを摺動自在に支持するための多数の機能ボタン用窓３１，３１ａが設けられている。
【００２０】
３２，３２はフロントケース２５の底部２６上に立設されたスタッドであって、リアーケース２とフロントケース２５とを結合するためおよび充電端子７を取り付けるためのねじ３３，３３が螺合される。囲い壁２７は、上壁２７Ａ、下壁２７Ｂおよび両側壁２７Ｃ，２７Ｄによって一連に形成されており、上壁２７Ａの内面には、リアーケース２の係合部（図示せず）が係合する被係合部３４，３４が設けられている。
【００２１】
リアーケース２とフロントケース２５とは、これら係合部と被係合部３４を回動中心として互いに回動自在に支持され、後述するようにねじ３３をスタッド３２に螺合させることにより結合される。３５はフロントケース２５の機能ボタン用窓３１ａに揺動自在に支持される円板状に形成された機能ボタンである。３６は透明部材によって形成されたＬＣＤ表示器１１用のパネルであって、フロントケース２５の窓２９を覆うようにフロントケース２５に取り付けられる。
【００２２】
３７はフロントケース２５の一部を覆うためにフロントケース２５の表面に設けられるキーパネルであって、プリント基板１０およびキーシート２０をフロントケース２５に取り付けるためのねじ８，８を螺合させるための一対のスタッド３８，３８が立設されている。４０は着信用のＬＥＤ（図示せず）から発光された光をフロントケース２５の外部に導く導光体であって、フロントケース２５の取付孔４１に取り付けられる。４５ａ，４５ａはねじ３３，３３を挿通させるためにリアーケース２の底部４に設けられた挿通孔である。
【００２３】
次に、このように構成された電話機の組立方法について説明する。先ず、図４に示すように、スピーカ１５をホルダー１６の開口から周部１６ｂを半径方向に弾性変形させながら、ホルダー１６内に挿入する。このとき、周部１６ｂに軸線方向に延在し上方が開口した４個の溝１６ｄが設けられているため、周部１６ｂが半径方向に弾性変形しやすいから挿入作業が容易になる。ホルダー１６内に挿入されたスピーカ１５は、周部１６ｂの内径がスピーカ１５の外径よりもわずかに小さく形成されているため、周部１６ｂによって弾持される。
【００２４】
この状態で、ホルダー１６のスタッド１７の小径部１７ａをプリント基板１０の孔１２に嵌合させることにより、ホルダー１６をプリント基板１０上に取り付け、コネクタ１５ｂをプリント基板１０に実装したコネクタ（図示せず）に結合することにより、スピーカ１５とプリント基板１０とをワイヤー１５ａを介して電気的に接続する。このように、スピーカ１５をホルダー１６に取り付ける作業およびホルダー１６をプリント基板１０に取り付ける作業にねじを不要としたため作業性が向上する。また、スタッド１７の高さを選択することによりスピーカ１５とスピーカ孔４ａとの間を最適な間隔に形成することができる。
【００２５】
次いで、図１に示すように、導光体４０をフロントケース２５の取付孔４１に取り付け、ＬＣＤパネル３６をフロントケース２５の表面に取り付ける。フロントケース２５の機能ボタン用窓３１ａに機能ボタン３５を嵌入させ、フロントケース２５上にキーシート２０を載置し、フロントケース２５のスタッド３２，３２にプリント基板１０の嵌合孔１４，１４を嵌合させてプリント基板１０をキーシート２０上に載置する。充電端子７をリアーケース２の溝６に挿入し、リアーケース２をフロントケース２５の上方に位置付ける。
【００２６】
次いで、フロントケース２５の被係合部３４にリアーケース２の係合部を係合させ、これら係合部と被係合部３４を回動中心としてリアーケース２を回動させ、リアーケース２の開口２ａとフロントケース２５の開口２８とを対向させるように両ケース２，２５の互いの開口端を対接させる。この状態で、挿通孔４５ａ，４５ａから挿通させたねじ３３，３３を、充電端子７の孔およびプリント基板１０の嵌合孔１４を挿通させ、フロントケース２５のスタッド３２，３２に螺合させる。
【００２７】
この螺合により、リアーケース２とフロントケース２５とが結合され電話機１の筺体本体が形成されるとともに、充電端子７がフロントケース２５に取り付けられる。次いで、キーパネル３７のスタッド３８，３８をフロントケース２５の機能ボタン用窓３１，３１およびキーシート２０の挿通孔２４，２４を挿通させ、プリント基板１０の嵌合孔１３，１３に嵌合させ、キーパネル３７をフロントケース２５の表面に仮止めする。この状態で、リアーケース２の凹部５ａ，５ａに挿入したねじ８，８をキーパネル３７のスタッド３８，３８に螺合させることにより、プリント基板１０、キーシート２０およびキーパネル３７がフロントケース２５に取り付けられ、電話機１が組み立てられる。
【００２８】
このように組み立てられた電話機１においては、図２に示すように、スピーカ１５がリアーケース２の幅方向の中心（図中Ｃ−Ｃ線）から図中右側にずれた位置に位置付けられ、多数のスピーカ孔４ａのうち貫通孔に形成されたスピーカ孔が対応している。また、リアーケース２の底部４に突設した環状体４ｂが、図３に示すようにホルダ１６の開口を覆うように互いの開口端が対接する。したがって、スピーカ１５から放射される音波がホルダ１６から電話機１の筺体内に漏洩することなく、スピーカ孔４ａから放出されるため音量が低下するようなことがない。
【００２９】
また、多数のスピーカ孔４ａに非貫通孔に形成したいわゆるダミーのスピーカ孔を設けたことにより、スピーカ１５の取付位置にかかわらずに、多数のスピーカ孔４ａが占める領域を円状に形成するとともに、これらスピーカ孔４ａをリアーケース２の中央部に位置付けることができるため、利用者に外観的な違和感を与えるようなことがない。
【００３０】
なお、本実施の形態においては、環状体４ｂをホルダー１６の開口端に突き合わせるようにしたが、ホルダー１６の開口端縁を囲むように形成してもよい。また、本実施の形態においては、第１の筺体をリアーケース２とした例を説明したが、スピーカ１５に対向する筺体がフロントケース２５の場合は、第１の筺体をフロントケース２５としてもよく、その場合はフロントケース２５にスピーカ孔４ａを設ければよい。また、本実施の形態においては、プリント基板１０をリアーケース２とフロントケース２５とに共締めするようにしたが、リアーケース２側またはフロントケース２５側に取り付けるようにしてもよい。
【図面の簡単な説明】
【００３１】
【図１】本発明に係るスピーカの取付構造を実施した電話機の分解斜視図である。
【図２】本発明に係るスピーカの取付構造を実施した電話機の上半分を示す平面図である。
【図３】図２におけるIII-III 線断面図である。
【図４】本発明に係るスピーカの取付構造における要部の斜視図でスピーカをプリント基板に取り付ける以前の状態を示す。
【図５】本発明に係るスピーカの取付構造における要部の斜視図でスピーカをプリント基板に取り付けた状態を示す。
【符号の説明】
【００３２】
１…電話機、２…リアーケース、４ａ…スピーカ孔、１０…プリント基板、１２…孔、１５…スピーカ、１６…ホルダー、１６ｂ…周部、１６ｄ…溝、１７…スタッド、１７ａ…小径部。
【図１】
0004781877.tif 000002
【図２】
0004781877.tif 000003
【図３】
0004781877.tif 000004
【図４】
0004781877.tif 000005
【図５】
0004781877.tif 000006